(57)【要約】【課題】例えば、ステッチ加飾部のような長尺体埋め込み部におけるデザイン上の見栄えを向上しつつ、表皮材への長尺体の埋め込み加工と基材への表皮材接着とを同時に行うことができる長尺体付き内装部品の真空成形型及びその真空成形方法を提供する。【解決手段】基材４を保持し真空吸引可能な基材保持型（上型）５１と、所要温度に加熱した表皮材３を基材表面に押圧し真空吸引可能な表皮材押圧型５２とを備え、表皮材３を基材４に接着させる長尺体付き内装部品１の真空成形型５である。表皮材押圧型５２には、表皮材を基材表面に押圧する表皮材押圧部５２１に埋め込み用の長尺体２を挿入する凹溝５２６が形成され、長尺体２を表皮材側へ押し込む入子５３を凹溝内に移動可能に備えた。【選択図】図３
2015229244.tif 000002
【特許請求の範囲】
【請求項１】
基材を保持し真空吸引可能な基材保持型と、所要温度に加熱した表皮材を基材表面に押圧し真空吸引可能な表皮材押圧型とを備え、前記表皮材を前記基材に接着させる長尺体付き内装部品の真空成形型であって、
前記表皮材押圧型には、前記表皮材を前記基材表面に押圧する表皮材押圧部に埋め込み用の長尺体を挿入する凹溝が形成され、前記長尺体を前記表皮材側へ押し込む入子を前記凹溝内に移動可能に備えたことを特徴とする長尺体付き内装部品の真空成形型。
【請求項２】
請求項１に記載された長尺体付き内装部品の真空成形型において、
前記表皮材押圧型は、前記基材保持型に対して下方に位置することを特徴とする長尺体付き内装部品の真空成形型。
【請求項３】
請求項１又は請求項２記載された長尺体付き内装部品の真空成形型において、
前記長尺体は、ステッチ加飾用の糸であり、前記入子には、前記ステッチ加飾の縫目に対応する位置に突起部が形成されたことを特徴とする長尺体付き内装部品の真空成形型。
【請求項４】
請求項３に記載された長尺体付き内装部品の真空成形型において、
前記突起部は、先端に微小Ｒが形成された鋭角状の傾斜面を備えることを特徴とする長尺体付き内装部品の真空成形型。
【請求項５】
請求項１乃至請求項４のいずれか１項に記載された長尺体付き内装部品の真空成形型において、
前記表皮材押圧型には、前記凹溝と連通する長尺体吸引機構を設けたことを特徴とする長尺体付き内装部品の真空成形型。
【請求項６】
請求項５に記載された長尺体付き内装部品の真空成形型において、
前記表皮材押圧型の前記表皮材を押圧する表皮材押圧部は、ポーラス状の電鋳殻で被覆され、当該電鋳殻の裏面側に前記長尺体吸引機構を設けたことを特徴とする長尺体付き内装部品の真空成形型。
【請求項７】
請求項５又は請求項６に記載された長尺体付き内装部品の真空成形型を用いる真空成形方法であって、
前記凹溝内に前記長尺体を挿入する工程と、前記真空成形型を型締めして前記表皮材を前記基材に押圧する工程と、前記表皮材押圧型から真空吸引するとともに前記入子が前記長尺体を前記表皮材側へ押し込む工程とを備え、
前記凹溝内に前記長尺体を挿入するときから前記真空成形型を型締め完了するまでの間で、前記長尺体吸引機構が前記長尺体を吸引することを特徴とする真空成形方法。
【発明の詳細な説明】
【技術分野】
【０００１】
本発明は、例えば、表皮材に糸をステッチ加飾すると同時に、当該表皮材を基材に接着させる真空成形型及びその真空成形方法に関する。
【背景技術】
【０００２】
例えば、自動車の内装部品において、柔らかい材質の表皮材で覆われたインストルメントパネルやコンソールボックス等の表面には、糸の縫い目を形成したステッチ加飾部を施すことによって、デザイン上の見栄えを向上し、高級感やソフト感を醸す工夫がなされている。
この場合、表皮材にステッチ加飾部のない内装部品は、図１６（ａ）〜（ｄ）に示すように、基材成形工程、及び表皮成形同時基材接着工程によって製造することができる。
すなわち、図１６（ａ）、（ｂ）に示すように、射出成形機１１１から射出成形型１１２に溶融樹脂を注入し、射出成形によって所定の形状に賦形された基材１１３を形成する（基材成形工程）。そして、図１６（ｃ）、（ｄ）に示すように、下面に接着剤を塗布した表皮材１１４を加熱装置１１５にて加熱した後に、真空成形型１１６にセットした基材１１３に表皮材１１４を重ね合わせて吸引することで、表皮材１１４を基材形状に沿わせる成形と、同時に、表皮材１１４と基材１１３とを接着する（表皮成形同時基材接着工程）。このように、表皮材にステッチ加飾部のない内装部品であれば、２型２工程で簡単に製造することができる。
【０００３】
ところが、ステッチ加飾部を形成した内装部品は、図１７（ａ）〜（ｇ）に示すように、基材成形工程、表皮成形工程、ステッチ加飾工程、及び基材接着工程を経て製造されることになる。
すなわち、図１７（ａ）、（ｂ）に示すように、射出成形機１１１から射出成形型１１２に溶融樹脂を注入し、射出成形することによって所定の形状に賦形された基材１１３を形成する（基材成形工程）。また、図１７（ｃ）、（ｄ）に示すように、表皮材１１４を加熱装置１１５で加熱した後に、真空成形型１１６にて基材１１３に相応する形状に表皮材１１４を賦形する（表皮成形工程）。その後、図１７（ｅ）に示すように、表皮材１１４の外端を切断したうえ、ミシン１１７にて糸を縫製して表皮材１１４にステッチ加飾部を形成する（ステッチ加飾工程）。最後に、図１７（ｆ）に示すように、プレス圧着型１１８の雄型に基材１１３をセットして塗布機１１９にて接着剤を基材表面に塗布し、図１７（ｇ）に示すように、プレス圧着型１１８の雌型に吸着した表皮材１１４を、雄型の基材１１３に押圧して、表皮材１１４と基材１１３とを接着する（基材接着工程）。このように、表皮材にステッチ加飾部を有する内装部品を製造するためには、３型４工程を要し、表皮材にステッチ加飾部のない内装部品に比べて型数及び工程数が大幅に増加することになっていた。そのため、生産コストが大幅に増大する問題があった。
【０００４】
表皮材にステッチ加飾部を有する内装部品を製造するために、型数及び工程数が大幅に増加する要因の１つは、表皮材の成形品にミシン掛けしてステッチ加飾部を施したものを基材に貼り合わせるため、表皮成形工程と基材接着工程とを同一工程で行うことができないからである。
そのため、本発明者らは、表皮材にステッチ加飾部を有する内装部品においても、表皮成形と同時に基材接着を可能とするため、ミシン縫製以外でステッチ加飾部を行う製造方法を鋭意検討してきた。
例えば、ミシン縫製以外でステッチ加飾部を形成する製造方法として、基材（表皮材を含む）の表面に糸を配置し、基材の裏面に当接する一方の電極と、糸を押圧する突起部を形成した他方の電極とを備えた高周波溶着装置を用いて、基材及び糸の少なくとも一方を部分的に溶融させて、糸を基材に対してステッチ模様の縫目に相当する間隔をあけて固着一体化せしめる製造方法が、特許文献１に開示されている。
【先行技術文献】
【特許文献】
【０００５】
【特許文献１】特開昭６３−１９９６４０号公報
【発明の概要】
【発明が解決しようとする課題】
【０００６】
しかしながら、特許文献１の技術には、以下のような問題があった。
すなわち、特許文献１の技術は、予め、真空成形型等によって表皮成形と基材接着とを行ってから、表皮付き基材の表面に糸を配置し、上記高周波溶着装置を用いて糸を基材に対してステッチ模様の縫目に相当する間隔をあけて固着一体化せしめる方法である。したがって、表皮材へのステッチ加飾と基材への表皮材接着とを同時に行えず、ステッチ加飾用に高周波溶着装置が必要となり、表皮成形同時基材接着工程とは別にステッチ加飾工程を追加しなければならないという問題があった。
また、表皮付き基材の表面上に糸を配置し、糸を他方の電極に形成した突起部で基材側に押し込む方法であるので、糸の位置決めが不安定となり、一定の位置にステッチ加飾部を施すことが困難であった。したがって、ステッチ加飾部におけるデザイン上の見栄えが低下しやすいという問題があった。
【０００７】
本発明は、上記問題点を解決するためになされたものであり、例えば、ステッチ加飾部のような長尺体埋め込み部におけるデザイン上の見栄えを向上しつつ、表皮材への長尺体の埋め込み加工と基材への表皮材接着とを同時に行うことができる長尺体付き内装部品の真空成形型及びその真空成形方法を提供することを目的とする。
【課題を解決するための手段】
【０００８】
上記課題を解決するために、本発明に係る長尺体付き内装部品の真空成形型及びその真空成形方法は、次のような構成を有している。
（１）基材を保持し真空吸引可能な基材保持型と、所要温度に加熱した表皮材を基材表面に押圧し真空吸引可能な表皮材押圧型とを備え、前記表皮材を前記基材に接着させる長尺体付き内装部品の真空成形型であって、
前記表皮材押圧型には、前記表皮材を前記基材表面に押圧する表皮材押圧部に埋め込み用の長尺体を挿入する凹溝が形成され、前記長尺体を前記表皮材側へ押し込む入子を前記凹溝内に移動可能に備えたことを特徴とする。
【０００９】
本発明においては、表皮材押圧型には、表皮材を基材表面に押圧する表皮材押圧部に埋め込み用の長尺体を挿入する凹溝が形成されているので、表皮材押圧部に成形された凹溝内の所定位置に、埋め込み用の長尺体を正確に配置することができる。そのため、表皮材押圧部が表皮材を基材表面に押圧する際に、基材に対する埋め込み用の長尺体の位置ズレを回避させることができる。したがって、長尺体埋め込み部におけるデザイン上の見栄えを向上させることができる。
また、表皮材押圧型には、埋め込み用の長尺体を表皮材側へ押し込む突起部を有する入子を凹溝内に移動可能に備えたので、基材保持型と表皮材押圧型との型締めによって表皮材を基材表面に押圧すると同時に、凹溝内の入子を表皮材側へ移動させて、入子によって埋め込み用の長尺体を表皮材側へ押し込むことができる。そのため、表皮材への長尺体埋め込み加工と基材への表皮材接着とを同時に行うことができる。
よって、本発明によれば、長尺体埋め込み部におけるデザイン上の見栄えを向上しつつ、表皮材への長尺体埋め込み加工と基材への表皮材接着とを同時に行うことができる長尺体付き内装部品の真空成形型を提供することができる。
【００１０】
（２）（１）に記載された長尺体付き内装部品の真空成形型において、
前記表皮材押圧型は、前記基材保持型に対して下方に位置することを特徴とする。
【００１１】
本発明においては、表皮材押圧型は、基材保持型に対して下方に位置するので、埋め込み用の長尺体を凹溝内に挿入しやすく、凹溝内に挿入した埋め込み用の長尺体が、基材保持型と表皮材押圧型との型締め時、位置ズレしにくい。また、加熱された表皮材が埋め込み用の長尺体を包み込み、入子によって埋め込み用の長尺体を表皮材側に押し込む際に、長尺体と表皮材が馴染みやすくなる。
よって、本発明によれば、長尺体埋め込み部におけるデザイン上の見栄えを、より一層安定して向上することができる。
【００１２】
（３）（１）又は（２）に記載された長尺体付き内装部品の真空成形型において、
前記長尺体は、ステッチ加飾用の糸であり、前記入子には、前記ステッチ加飾の縫目に対応する位置に突起部が形成されたことを特徴とする。
【００１３】
本発明においては、長尺体は、ステッチ加飾用の糸であり、入子には、ステッチ加飾の縫目に対応する位置に突起部が形成されたので、表皮材にステッチ加飾された糸を、縫目の位置で表皮材側へ深く押し込むことができる。
よって、本発明によれば、ステッチ加飾部の見栄えを、より一層安定して向上することができる。
【００１４】
（４）（３）に記載された長尺体付き内装部品の真空成形型において、
前記突起部は、先端に微小Ｒが形成された鋭角状の傾斜面を備えることを特徴とする。
【００１５】
本発明においては、突起部は、先端に微小Ｒが形成された鋭角状の傾斜面を備えるので、表皮材にステッチ加飾された糸の縫目を、ミシンで縫製されたように表皮材側へ深く押し込むことができる。なお、突起部の先端に形成された微小Ｒは、半径が０．３〜０．５ｍｍ程度で、傾斜面の内角は、５〜１５度程度が好ましい。微小Ｒの半径を０．３〜０．５ｍｍ程度で、傾斜面の内角を５〜１５度程度とすることによって、表皮材側に食い込む糸の傾斜角を、より垂直状態に近づけることができる。これによって、ステッチ加飾部における縫目を、本物のミシン縫製に近似させることができる。
よって、本発明によれば、ステッチ加飾部の糸の縫目に対する見栄えを、より一層安定して向上することができる。
なお、入子は、鋭角状の突起部と突起部の間が突起部と反対側へ湾曲する湾曲面で形成された連結部を有することが好ましい。入子が、突起部と突起部の間を突起部と反対側へ湾曲する湾曲面で形成された連結部を有することによって、ステッチ加飾部を形成するとき、連結部が糸から離間して、突起部の食い込みを、より一層局部的に行うことができる。
【００１６】
（５）（１）乃至（４）のいずれか１つに記載された長尺体付き内装部品の真空成形型において、
前記表皮材押圧型には、前記凹溝と連通する長尺体吸引機構を設けたことを特徴とする。
【００１７】
本発明においては、表皮材押圧型には、凹溝と連通する長尺体吸引機構を設けたので、型締めまでの段階で、長尺体吸引機構を介して凹溝内に挿入する長尺体を吸引することができる。そのため、長尺体が細くて柔らかい場合においても、長尺体を、長尺体埋め込み部に沿って形成された凹溝内に挿入しやすく、かつ、挿入した長尺体の凹溝外への飛び出しを防止することができる。
よって、本発明によれば、長尺体埋め込み部における長尺体の凹溝内への挿入時間の短縮と、長尺体の位置ズレをより一層低減して、生産性を高めるとともに、長尺体埋め込み部におけるデザイン上の見栄えを、より一層安定して向上することができる。
【００１８】
（６）（５）に記載された長尺体付き内装部品の真空成形型において、
前記表皮材押圧型の前記表皮材を押圧する表皮材押圧部は、ポーラス状の電鋳殻で被覆され、当該電鋳殻の裏面側に前記長尺体吸引機構を設けたことを特徴とする。
【００１９】
本発明においては、表皮材押圧型の表皮材を押圧する表皮材押圧部は、ポーラス状の電鋳殻で被覆されたので、凹溝を電鋳殻で一体的に被覆することができる。また、一般に、電鋳殻は反転モデルに積層させる方法で製造されるので、電鋳殻が反転モデルに積層された状態において、電鋳殻の裏面（表皮材押圧部と当接する面）から、凹溝の電鋳殻を貫通する吸気孔を、例えば、レーザ加工等によって簡単に形成することができる。
また、電鋳殻の裏面側に糸吸引機構を設けたので、凹溝を被覆する電鋳殻に形成した吸気孔を介して、凹溝と長尺体吸引機構とを容易に連通させることができる。
よって、本発明によれば、表皮材押圧型には、凹溝と連通する長尺体吸引機構を簡単かつ低コストで設けることができ、長尺体埋め込み部におけるデザイン上の見栄えを、より一層安定して向上することができる。
【００２０】
（７）（５）又は（６）に記載された長尺体付き内装部品の真空成形型を用いる真空成形方法であって、
前記凹溝内に前記長尺体を挿入する工程と、前記真空成形型を型締めして前記表皮材を前記基材に押圧する工程と、前記表皮材押圧型から真空吸引するとともに前記入子が前記長尺体を前記表皮材側へ押し込む工程とを備え、
前記凹溝内に前記長尺体を挿入するときから前記真空成形型を型締め完了するまでの間で、前記長尺体吸引機構が前記長尺体を吸引することを特徴とする。
【００２１】
本発明においては、凹溝内に長尺体を挿入する工程と、真空成形型を型締めして表皮材を基材に押圧する工程と、表皮材押圧型から真空吸引するとともに入子が長尺体を表皮材側へ押し込む工程とを備えたので、凹溝内の所定位置に、埋め込み用の長尺体を正確に配置することができ、かつ、真空成形型の型締めによって表皮材を基材表面に押圧すると同時に、凹溝内を移動する入子によって埋め込み用の長尺体を表皮材側へ押し込むことができる。
また、凹溝内に長尺体を挿入するときから真空成形型を型締め完了するまでの間で、長尺体吸引機構が長尺体を吸引するので、埋め込み用の長尺体を凹溝内に挿入しやすく、かつ、挿入した埋め込み用の長尺体が凹溝内からの飛び出すことを、簡単に防止することができる。
また、長尺体吸引機構が長尺体を吸引するのは、真空成形型を型締め完了するまでの間であるので、長尺体吸引機構による長尺体の吸引が、表皮材の真空吸引や長尺体の埋め込み加工に影響を及ぼさない。
よって、本発明によれば、長尺体埋め込み部におけるデザイン上の見栄えを向上しつつ、表皮材への長尺体の埋め込み加工と基材への表皮材接着とを同時に行うことができる長尺体付き内装部品の真空成形型を用いる真空成形方法を提供することができる。
なお、長尺体吸引機構は、凹溝内に長尺体を挿入するときから真空成形型を型締め完了するまでの間、長尺体を連続的に吸引しても、長尺体を間欠的又は部分的に吸引してもよい。
【発明の効果】
【００２２】
本発明によれば、長尺体埋め込み部におけるデザイン上の見栄えを向上しつつ、表皮材への長尺体埋め込み加工と基材への表皮材接着とを同時に行うことができる長尺体付き内装部品の真空成形型及びその真空成形方法を提供することができる。
【図面の簡単な説明】
【００２３】
【図１】本発明に係る実施形態に適用するステッチ加飾付き内装部品の斜視図である。
【図２】図１のステッチ加飾付き内装部品におけるステッチ加飾部の模式的断面図である。
【図３】本実施形態に係るステッチ加飾付き内装部品の真空成形型の断面図である。
【図４】図３に示す表皮材押圧型（下型）の概略斜視図である。
【図５】図３に示す表皮材押圧型（下型）の凹溝の吸引機構断面図である。
【図６】図５に示す凹溝内にステッチ加飾用の糸を挿入した状態を表す部分斜視図である。
【図７】図６に示す入子の上部斜視図である。
【図８】図７における入子の突起部詳細図である。
【図９】図３に示す真空成形型の型締め時における部分断面図である。
【図１０】図９におけるＡ部断面図である。
【図１１】図９におけるＢ部断面図である。
【図１２】図３に示す真空成形型のステッチ加飾成形時における部分断面図である。
【図１３】図１２におけるＣ部断面図である。
【図１４】図１２におけるＤ部断面図である。
【図１５】図３に示す真空成形型の真空成形方法を表す工程図である。
【図１６】従来のステッチ加飾無し内装部品の製造工程を表す模式的断面図である。
【図１７】従来のステッチ加飾付き内装部品の製造工程を表す模式的断面図である。
【発明を実施するための形態】
【００２４】
次に、本発明に係るステッチ加飾付き内装部品の真空成形型及びその真空成形方法の実施形態について、図面を参照して詳細に説明する。
【００２５】
＜ステッチ加飾付き内装部品の構造＞
まず、本実施形態に適用するステッチ加飾付き内装部品の構造を、図１及び図２を用いて、自動車のインストルメントパネルの例で説明する。図１に、本発明に係る実施形態に適用するステッチ加飾付き内装部品の斜視図を示す。図２に、図１のステッチ加飾付き内装部品におけるステッチ加飾部の模式的断面図を示す。
【００２６】
図１に示すように、ステッチ加飾付き内装部品のインストルメントパネル１は、車両の運転席及び助手席の前方に搭載する略Ｌ字状断面をした内装部品である。インストルメントパネル１は、運転席及び助手席の前方に位置するため、デザイン上の見栄えを向上し、高級感やソフト感を醸す工夫がなされている。
また、インストルメントパネル１には、運転席及び助手席の搭乗者に対する利便性を備えるため、前端がフロンドガラスに当接する平坦なアッパーパネル部１１、車両中央でカーナビやエアコン等の操作部を搭載するセンタークラスタ部１２、運転席の正面でスピードメータ等を搭載するメータークラスタ部１３、メータークラスタ部１３の下方を覆うロアパネル部１４、助手席の正面を覆うサイドパネル部１５、及びサイドパネル部１５の下方を覆う収納部１６を備えている。
【００２７】
また、インストルメントパネル１は、全体形状を形成する基材の上に、装飾用の表皮材が接着されている。表皮材には、高級感やソフト感を醸すため、シボ模様が形成されている。また、本革仕様の雰囲気が生じるように、表皮材に糸の縫目に近似したステッチ加飾部１７が形成されている。例えば、図１に示すインストルメントパネル１には、アッパーパネル部１１と、センタークラスタ部１２、メータークラスタ部１３、及びサイドパネル部１５との境界線に沿ってステッチ加飾部１７が形成されている。
【００２８】
図２に示すように、表皮材３は、上下で２層構造をなしている。基材４に接着される第１層３１は、例えば、３〜４ｍｍ程度の厚さを有するポリプロピレンフォーム（ＰＰＦ）層であり、第１層３１の上に被覆される第２層３２は、例えば、０．５〜０．８ｍｍ程度の厚さを有するオレフィン系エラストマ（ＴＰＯ）層である。また、ステッチ加飾部１７は、例えば、直径０．８〜１．０ｍｍ程度のオレフィン系エラストマ（ＴＰＯ）の糸２を６〜８ｍｍ程度の間隔で局部的に表皮材３側に深く食い込ませて形成されている。なお、糸２は、複数の凸部が長手方向で螺旋状に捻じれて形成された捻じり糸でもよい。
【００２９】
また、基材４と接着する第１層３１はポリプロピレンフォーム（ＰＰＦ）層からなるので、後述する入子の突起部が糸２を表皮材３側に局部的に押し込むとき、発泡層からなる第１層３１が大きく変形して、ステッチ加飾される糸２の縫目２１を表皮材側に深く侵入させることができる（図１２を参照）。また、第１層３１の上に被覆された第２層３２と糸２とは、共にオレフィン系エラストマ（ＴＰＯ）からなるので、糸２の縫目２１を表皮材側に深く侵入させるときでも、第２層３２と糸２の延伸性が同レベルの値で高いので、糸２の伸びと、糸２と接触する第２層３２の接触部３２１での伸びとが、互いに釣り合うことができる。その結果、後述する入子の突起部が糸２を表皮材３側に押し込むとき、糸２が切れたり表皮材３が破れたりすることが少ない。糸２を表皮材３側に押し込む位置の基材４には、表皮材３の圧縮量を減らす凹面４１を形成してもよい（図１３を参照）。
【００３０】
なお、ステッチ加飾用の糸２は、植物性繊維や合成繊維を用いることもできるが、常温での延伸性の高いオレフィン系、塩化ビニール系、又はスチレン系の熱可塑性エラストマが好ましい。ステッチ加飾用の糸２を表皮材３の色とは異なる着色とすることで、更にデザイン上の装飾性を向上させることもできる。
【００３１】
＜真空成形型の構造＞
次に、本実施形態に係るステッチ加飾付き内装部品の真空成形型の構造を、図３〜図１４を用いて説明する。図３に、本実施形態に係るステッチ加飾付き内装部品の真空成形型の断面図を示す。図４に、図３に示す表皮材押圧型（下型）の概略斜視図を示す。図５に、図３に示す表皮材押圧型（下型）の凹溝の吸引機構断面図を示す。図６に、図５に示す凹溝内にステッチ加飾用の糸を挿入した状態を表す部分斜視図を示す。図７に、図６に示す入子の上部斜視図を示す。図８に、図７における入子の突起部詳細図を示す。図９に、図３に示す真空成形型の型締め時における部分断面図を示す。図１０に、図９におけるＡ部断面図を示す。図１１に、図９におけるＢ部断面図を示す。図１２に、図３に示す真空成形型のステッチ加飾成形時における部分断面図を示す。図１３に、図１２におけるＣ部断面図を示す。図１４に、図１２におけるＤ部断面図を示す。
【００３２】
（真空成形型の全体構造）
図３、図４に示すように、本実施形態に係る真空成形型５は、基材４を保持する上型５１と、基材４に表皮材３を押圧する下型５２と、ステッチ加飾用の糸（埋め込み用の長尺体に相当）２を表皮材側へ押し込む入子５３と、糸２を凹溝５２６内に吸引する糸吸引機構（長尺体吸引機構に相当）５４とを備えている。
【００３３】
上型５１には、基材４を保持する基材保持部５１１が、基材形状に沿わせて形成されている。基材保持部５１１には、図示しない複数の真空吸引孔が所定の間隔で形成されている。基材保持部５１１の上端には、真空吸引孔から吸引されたエアを図示しない吸引ポンプに送る通気路５１４を形成する上枠部５１２が連結されている。上枠部５１２は、中空部５１３を有して上基台５１５に連結されている。
【００３４】
下型５２には、基材４に表皮材３を押圧する表皮材押圧部５２１が、基材形状に沿わせて形成されている。表皮材押圧部５２１には、図示しない複数の真空吸引孔が所定の間隔で形成されている。表皮材押圧部５２１の下端には、真空吸引孔から吸引されたエアを図示しない吸引ポンプに送る通気路５２４を形成する下枠部５２２が連結されている。下枠部５２２は、中空部５２３を有して下基台５２５に連結されている。また、下型５２には、図１に示すステッチ加飾部１７に対応する位置に、ステッチ加飾用の糸２を挿入する凹溝５２６が形成されている。凹溝５２６は、所定の幅で上下左右に湾曲した形状に形成されている。凹溝５２６を含む表皮材押圧部５２１の上面には、所定の厚さでポーラス状の電鋳殻５２１Ａが被覆されている。電鋳殻５２１Ａの裏面側には、凹溝５２６に隣接して糸吸引機構５４が配設されている。
なお、表皮材３は、所定の温度に加熱された状態で、両端を把持装置６３によって把持されている。
【００３５】
（糸吸引機構）
図５に示すように、糸吸引機構５４は、凹溝５２６の両側に形成された略Ｌ字状断面の電鋳殻５２１Ａの裏面５２１Ａ３に当接して配設されている。糸吸引機構５４は、２つの吸気管５４１を有し、電鋳殻５２１Ａの裏面５２１Ａ３にシール材５４３で密封されている。２つの吸気管５４１は、図示しない専用の吸引ポンプに接続されている。吸気管５４１には、凹溝５２６の電鋳殻５２１Ａを貫通して形成した吸気孔５２１Ａ２と連通する通孔５４２が、適宜形成されている。糸吸引機構５４は、吸気管５４１を介して凹溝５２６内に挿入された加飾用の糸２を吸引する。糸吸引機構５４の吸引タイミングは、凹溝５２６内に糸２を挿入するときから、真空成形型５を型締め完了するまでの間である。糸吸引機構５４は、凹溝内に糸を挿入するときから真空成形型５を型締めするまでの間、連続的に糸２を吸引しても、間欠的又は部分的に糸２を吸引してもよい。
なお、電鋳殻５２１Ａには、表皮材３を真空吸引する複数の微細孔５２１Ａ１が分散して形成されている。微細孔５２１Ａ１及び吸気孔５２１Ａ２は、反転モデルに電鋳殻５２１Ａが積層された状態で、電鋳殻５２１Ａの裏面５２１Ａ３側から、例えば、レーザ加工機等を用いて加工する。
【００３６】
（ステッチ加飾の入子構造）
図６に示すように、下型５２には、ステッチ加飾用の糸２を挿入する凹溝５２６が形成されている。凹溝５２６の幅は、ステッチ加飾用の糸２の外径と同程度である。また、下型５２には、凹溝５２６内に挿入したステッチ加飾用の糸２を表皮材３側に押し込む入子５３を備えている。入子５３は、上下方向（矢印Ｋの方向）にスライドする。入子５３のスライド量は、表皮材３の厚さと同程度の長さである。入子５３の移動手段は、油圧シリンダ等の各種駆動手段を用いることができる。
【００３７】
図７、図８に示すように、入子５３には、上端にステッチ加飾用の糸２を表皮材３に押し込む鋭角状の突起部５３１が縫目に相応する位置に所定の間隔をあけて、櫛歯状に形成されている。入子５３は、鋭角状の突起部５３１と突起部５３１の間が下方に湾曲する湾曲面で形成された連結部５３２を有する。突起部５３１の先端５３１ａには、半径Ｒが０．３ｍｍ程度の微小Ｒが形成されている。また、鋭角状に形成された突起部５３１の傾斜面５３１ｂの内角θは、５〜１５度程度が好ましい。突起部５３１の連結部５３２の湾曲面中央に対する高さは、３〜４ｍｍ程度で、突起部５３１の間隔は、６〜８ｍｍ程度が好ましい。
【００３８】
図９〜図１１に示すように、上型５１に保持した基材４に表皮材３を押圧する型締め完了状態にした初期段階では、入子５３はステッチ加飾用の糸２より下方に位置している。入子５３に備える突起部５３１の先端５３１ａが、ステッチ加飾用の糸２と僅かな隙間Ｓを有している。突起部５３１の両側面５３１ｃは、先端５３１ａに向けて先細りとなるテーパ状に形成されている。
型締め初期段階では、ステッチ加飾用の糸２は、表皮材３側に押し込まれていない。そのため、真空成形型５の下型５２から真空吸引することで、表皮材３の第２層３２の表面へ確実にシボ転写が行なわれ、かつ、基材形状に沿わせる成形が行われる。また、真空成形型５は、型締め状態に所定の時間保持して、表皮材３と基材４とを接着する。所定の型締め保持時間は、５０〜１００秒程度である。
【００３９】
図１２〜図１４に示すように、型締め状態の間に、入子５３を上方に移動し、ステッチ加飾部１７の成形を行う。鋭角状の突起部５３１が縫目２１に相応する位置で上昇することによって、ステッチ加飾された糸２の縫目２１は、発泡層からなる第１層３１が大きく凹み、ミシンで縫製されたように表皮材３側へ深く押し込まれていく。このとき、入子５３は、糸２のガラス転移温度以上で融点未満の温度まで加温されている。例えば、糸２の径が０．８ｍｍ程度で、糸２の材質がオレフィン系エラストマである場合、入子５３を加温する温度は、１００〜２００℃程度が好ましい。加温された入子５３に当接する糸２は、柔軟性が増して縫目２１の先端で鋭角状に屈曲することができる。
【００４０】
また、表皮材３は２層構造であり、基材４と接着する第１層３１は、発砲層からなるポリプロピレンフォーム（ＰＰＦ）である。そのため、入子５３が糸２の縫目２１を表皮材３側に押し込むとき、発砲層からなる第１層３１の押し込み部３１１が大きく変形する。また、第２層３２と糸２とは、共にオレフィン系エラストマからなるので、糸２の縫目２１を表皮材３に深く食い込ませるときでも、第２層３２と糸２の延伸性が同レベルの値で高いので、糸２の縫目２１と、糸２の縫目２１と接触する第２層３２の接触部３２１とが、互いに均等に伸びて、引張応力が釣り合う状態に保たれている。表皮材３に食い込んだ糸２の縫目２１は、表皮材３のアンカー効果によって食い込んだ位置に拘束されている。
【００４１】
また、入子５３は、鋭角状の突起部５３１と突起部５３１の間が下方に湾曲する湾曲面で形成された連結部５３２を有する。そのため、ステッチ加飾部１７を形成するとき、連結部５３２が縫目２１の渡り部２２から離間して、突起部５３１の食い込みが、より一層局部的に行われている。また、連結部５３２が、糸２の縫目２１間の渡り部２２を押圧しないので、糸２の変形が少ない。
以上のように、真空成形型５を用いて表皮材３を成形すると同時に基材表面に表皮材３を接着する際、ステッチ加飾部１７の形成が併せて行われている。その際、ステッチ加飾部１７のデザイン上の見栄えを、ミシン縫製と同程度に向上させることが可能となる。
【００４２】
＜真空成形型の真空成形方法＞
次に、本実施形態に係るステッチ加飾付き内装部品の真空成形型の真空成形方法を、図１５を用いて説明する。図１５に、図３に示す真空成形型の真空成形方法を表す工程図を示す。
【００４３】
図１５に示すように、本実施形態に係るステッチ加飾付き内装部品の真空成形型の真空成形方法は、以下に説明するＳ１〜Ｓ１０の工程を備えている。
はじめに、Ｓ１に示すように、真空成形型５を型開き状態にして、基材保持型（上型）５１の基材保持部５１１と、表皮材押圧型（下型）５２の表皮材押圧部５２１との隙間を、作業しやすいように広く開ける。その後、Ｓ２に示すように、基材保持型（上型）５１の基材保持部５１１に下方から基材４を取り付ける。
【００４４】
次に、Ｓ３に示すように、糸吸引機構５４の吸引を開始し、凹溝５２６内にステッチ加飾用の糸２を挿入する。凹溝５２６は、左右上下に湾曲して形成され、凹溝５２６の幅は、糸２の外径と同程度で細く形成されているが、糸吸引機構５４が凹溝５２６内に挿入する糸２を吸引することによって、凹溝５２６内への糸の挿入を迅速かつ簡単に行うことができる。また、凹溝５２６内へ挿入した糸の凹溝外への飛び出しを防止することができる。
【００４５】
次に、Ｓ４に示すように、所定の温度に加熱した表皮材３を把持装置６３が把持して、表皮材押圧型（下型）５２の上方に配置する。その後、Ｓ５に示すように、真空成形型５を型締め状態にする。型締め状態では、表皮材３を基材４に押圧し、表皮材３を圧縮させる。
次に、Ｓ６に示すように、糸吸引機構５４の吸引を停止する。吸引を停止することによって、凹溝５２６内での糸２の自由度が増加する。
【００４６】
次に、Ｓ７に示すように、表皮材押圧型（下型）５２から表皮材３を真空吸引するとともに、入子５３が上方へ移動し、ステッチ加飾成形を行う。表皮材押圧型（下型）５２から表皮材３を真空吸引することによって、電鋳殻５２１Ａに刻設したシボ模様を表皮材３に転写する。また、表皮材３の角部をシャープに成形する。表皮材３のシボ転写とステッチ加飾成形を同時に行う主な理由は、表皮材３が真空吸引によって冷却する前にステッチ加飾成形を完了させること、ステッチ加飾部の表皮ダレを真空吸引によって低減させること等、である。
【００４７】
次に、Ｓ８に示すように、基材保持型（上型）５１から表皮材３を基材側へ真空吸引する。表皮材３と基材４との接着を確実に行うためである。
最後に、Ｓ９に示すように、真空成形型５を型開き状態にして、Ｓ１０に示すように、製品を真空成形型５から取り出す。
以上のように、工程Ｓ１〜Ｓ１０に従い、真空成形型５の真空成形方法を実施することによって、ステッチ加飾部１７におけるデザイン上の見栄えを向上しつつ、表皮材３へのステッチ加飾と基材４への表皮材接着とを同時に行うことができる．
【００４８】
＜作用効果＞
以上、詳細に説明したように、本実施形態によれば、表皮材押圧型（下型）５２には、表皮材３を基材表面に押圧する表皮材押圧部５２１にステッチ加飾用の糸２を挿入する凹溝５２６が形成されているので、表皮材押圧部５２１に成形された凹溝５２６内の所定位置に、ステッチ加飾用の糸２を正確に配置することができる。そのため、表皮材押圧部５２１が表皮材３を基材表面に押圧する際に、基材４に対するステッチ加飾用の糸２の位置ズレを回避させることができる。したがって、ステッチ加飾部１７におけるデザイン上の見栄えを向上させることができる。
また、表皮材押圧型５２には、ステッチ加飾用の糸２を表皮材側へ押し込む複数の突起部５３１を有する入子５３を凹溝５２６内に移動可能に備えたので、基材保持型（上型）５１と表皮材押圧型（下型）５２との型締めによって表皮材３を基材表面に押圧すると同時に、凹溝５２６内の入子５３を表皮材側へ移動させて、複数の突起部５３１によってステッチ加飾用の糸２を表皮材側へ押し込むことができる。そのため、表皮材３へのステッチ加飾と基材４への表皮材接着とを同時に行うことができる。
よって、本実施形態によれば、ステッチ加飾部１７におけるデザイン上の見栄えを向上しつつ、表皮材３へのステッチ加飾と基材４への表皮材接着とを同時に行うことができるステッチ加飾付き内装部品１の真空成形型５を提供することができる。
【００４９】
また、本実施形態によれば、表皮材押圧型（下型）５２は、基材保持型５１に対して下方に位置するので、ステッチ加飾用の糸２を凹溝５２６内に挿入しやすく、凹溝５２６内に挿入したステッチ加飾用の糸２が、基材保持型５１と表皮材押圧型５２との型締め時、位置ズレしにくい。また、加熱された表皮材３がステッチ加飾用の糸２を包み込み、入子５３の突起部５３１によってステッチ加飾用の糸２を表皮材３側に押し込む際に、糸２と表皮材３が馴染みやすくなる。
よって、本実施形態によれば、ステッチ加飾部１７におけるデザイン上の見栄えを、より一層安定して向上することができる。
【００５０】
また、本実施形態によれば、突起部５３１は、先端５３１ａに微小Ｒが形成された鋭角状の傾斜面５３１ｂを備えるので、表皮材３にステッチ加飾された糸２の縫目２１を、ミシンで縫製されたように表皮材側へ深く押し込むことができる。先端５３１ａの微小Ｒの半径を０．３〜０．５ｍｍ程度で、傾斜面５３１ｂの内角θを５〜１５度程度としたので、表皮材３に食い込む糸２の傾斜角を、より垂直状態に近づけることができる。これによって、ステッチ加飾部１７における縫目を、本物のミシン縫製に近似させることができる。
なお、入子５３は、鋭角状の突起部５３１と突起部５３１の間が突起部と反対側へ湾曲する湾曲面で形成された連結部５３２を有するので、ステッチ加飾部１７を形成するとき、連結部５３２が糸２から離間して、突起部５３１の食い込みを、より一層局部的に行うことができる。
よって、本実施形態によれば、ステッチ加飾部１７の糸２の縫目に対する見栄えを、より一層安定して向上することができる。
【００５１】
また、本実施形態によれば、表皮材押圧型（下型）５２には、凹溝５２６と連通する糸吸引機構５４を設けたので、型締め完了までの段階で、糸吸引機構５４を介して凹溝５２６内に挿入するステッチ加飾用の糸２を吸引することができる。そのため、細くて柔らかいステッチ加飾用の糸２を、ステッチ加飾部１７に沿って複雑に湾曲して形成された凹溝５２６内に挿入しやすく、かつ、挿入した糸２の凹溝外への飛び出しを防止することができる。
よって、本実施形態によれば、ステッチ加飾部１７における糸２の凹溝５２６内への挿入時間の短縮と、糸２の位置ズレをより一層低減して、生産性を高めるとともに、ステッチ加飾部１７におけるデザイン上の見栄えを、より一層安定して向上することができる。
【００５２】
また、本実施形態によれば、表皮材押圧型（下型）５２の表皮材３を押圧する表皮材押圧部５２１は、ポーラス状の電鋳殻５２１Ａで被覆されたので、凹溝５２６を電鋳殻５２１Ａで一体的に被覆することができる。また、電鋳殻５２１Ａは，一般に反転モデルに積層させる方法で製造されるので、電鋳殻５２１Ａが反転モデルに積層された状態において、電鋳殻５２１Ａの裏面（表皮材押圧部と当接する面）５２１Ａ３から、凹溝５２６の電鋳殻５２１Ａを貫通する吸気孔５２１Ａ２を、例えばレーザ加工等によって簡単に形成することができる。
また、電鋳殻５２１Ａの裏面側に糸吸引機構５４を設けたので、凹溝５２６を被覆する電鋳殻５２１Ａに形成した吸気孔５２１Ａ２を介して、凹溝５２６と糸吸引機構５４とを容易に連通させることができる。
よって、本実施形態によれば、表皮材押圧型（下型）５２には、凹溝５２６と連通する糸吸引機構５４を簡単かつ低コストで設けることができ、ステッチ加飾部１７におけるデザイン上の見栄えを、より一層安定して向上することができる。
【００５３】
また、他の実施形態であるステッチ加飾付き内装部品の真空成形型５を用いる真空成形方法によれば、凹溝５２６内に糸２を挿入する工程Ｓ３と、真空成形型５を型締めして表皮材３を基材４に押圧する工程Ｓ５と、表皮材押圧型（下型）５２から真空吸引するとともに突起部５３１が糸２を表皮材側へ押し込む工程Ｓ７とを備えたので、凹溝５２６内の所定位置に、ステッチ加飾用の糸２を正確に配置することができ、かつ、真空成形型５の型締めによって表皮材３を基材表面に押圧すると同時に、凹溝５２６内を移動する入子５３の突起部５３１によってステッチ加飾用の糸２を表皮材側へ押し込むことができる。
また、凹溝５２６内に糸２を挿入するときから真空成形型５を型締めするまでの間で、糸吸引機構５４が糸２を吸引するので、加飾用の糸２を凹溝５２６内に挿入しやすく、かつ、挿入した加飾用の糸２が凹溝５２６内からの飛び出すことを、簡単に防止することができる。
また、糸吸引機構５４が糸２を吸引するのは、真空成形型５を型締めするまでの間であるので、糸吸引機構５４による糸２の吸引が、表皮材３の真空吸引や糸２のステッチ加飾成形に影響を及ぼさない。
よって、本他の実施形態によれば、ステッチ加飾部１７におけるデザイン上の見栄えを向上しつつ、表皮材３へのステッチ加飾と基材４への表皮材接着とを同時に行うことができるステッチ加飾付き内装部品１の真空成形型５を用いる真空成形方法を提供することができる。
【００５４】
上述した実施形態は、本発明の要旨を変更しない範囲で変更することができる。
例えば、上記実施形態では、糸吸引機構５４は、吸気管５４１と専用の吸引ポンプとを有し、表皮材押圧型（下型）５２の表皮材を真空吸引する吸引ポンプを備えた真空吸引機構とは別に設けたが、これに限ることはない。例えば、糸吸引機構５４は、表皮材押圧型（下型）５２の表皮材を真空吸引する真空吸引機構を共用することもできる。この場合、表皮材３を真空吸引するときに、吸気管５４１を閉じる開閉弁を設けることが好ましい。
例えば、上記実施形態では、長尺体はステッチ加飾用の糸としたが、これに限ることはない。例えば、長尺体は、内装照明用の棒状体又は筒状体でもよい。
【産業上の利用可能性】
【００５５】
本発明は、特に表皮材に糸をステッチ加飾すると同時に、当該表皮材を基材に接着させる真空成形型及びその真空成形方法として利用できる。
【符号の説明】
【００５６】
１              インストルメントパネル（内装部品）
２              糸（長尺体）
３              表皮材
４              基材
５              真空成形型
１７            ステッチ加飾部
２１            縫目
５１            基材保持型（上型）
５２            表皮材押圧型（下型）
５３            入子
５４            糸吸引機構（長尺体吸引機構）
５２１          表皮材押圧部
５２１Ａ        電鋳殻
５２１Ａ２      吸気孔
５２６          凹溝
５３１          突起部
５３１ａ        先端
５３１ｂ        傾斜面
５４１          吸気管
【図１】
2015229244.tif 000003
【図２】
2015229244.tif 000004
【図３】
2015229244.tif 000005
【図４】
2015229244.tif 000006
【図５】
2015229244.tif 000007
【図６】
2015229244.tif 000008
【図７】
2015229244.tif 000009
【図８】
2015229244.tif 000010
【図９】
2015229244.tif 000011
【図１０】
2015229244.tif 000012
【図１１】
2015229244.tif 000013
【図１２】
2015229244.tif 000014
【図１３】
2015229244.tif 000015
【図１４】
2015229244.tif 000016
【図１５】
2015229244.tif 000017
【図１６】
2015229244.tif 000018
【図１７】
2015229244.tif 000019